【手続補正書】
【提出日】平成31年2月7日(2019.2.7)
【手続補正１】
【補正対象書類名】特許請求の範囲
【補正対象項目名】全文
【補正方法】変更
【補正の内容】
【特許請求の範囲】
【請求項１】
チャネル選択を受け入れることと、
少なくとも１つのモバイルデバイスから、受信デバイスで、前記選択されたチャネルで受信されるコンテンツに関するデータを含むプログラムデータを受信することと、
前記選択されたチャネルにおけるプログラムをレンダリングするための結合信号を形成するよう、前記少なくとも１つのモバイルデバイスから受信された前記プログラムデータを前記受信デバイスによって受信された前記コンテンツと結合することと
を有する方法。
【請求項２】
構内における全ての受信デバイスとの通信を確立することと、
前記選択されたチャネルについての信号品質情報を得るよう前記構内における夫々のモバイルデバイスにポーリングすることと、
前記プログラムデータを受信するよう前記モバイルデバイスから少なくとも１つを選択することと
を有する請求項１に記載の方法。
【請求項３】
前記受信デバイスは、テレビ受信機である、
請求項２に記載の方法。
【請求項４】
前記モバイルデバイスは、携帯電話機、ｉＰｈｏｎｅ（登録商標）、ｉＰａｄ（登録商標）、ｉＰｏｄ（登録商標）及びタブレットのうちの１つである、
請求項２に記載の方法。
【請求項５】
前記通信は、ＷｉＦｉ通信チャネル上で確立される、
請求項２に記載の方法。
【請求項６】
モバイルデバイスが、
チャネルの信号品質を測定するための要求を受信デバイスから受け取ることと、
前記チャネルの信号品質を測定することと、
前記測定された信号品質を前記受信デバイスへ送ることと、
前記チャネルで受信されるコンテンツに関するプログラムデータを送るための要求を前記受信デバイスから受け取ることと、
前記チャネルで受信される前記コンテンツに関する前記要求されたプログラムデータを前記受信デバイスへ送ることと
を有する方法。
【請求項７】
前記受信デバイスは、テレビ受信機である、
請求項６に記載の方法。
【請求項８】
前記モバイルデバイスは、携帯電話機、ｉＰｈｏｎｅ（登録商標）、ｉＰａｄ（登録商標）、ｉＰｏｄ（登録商標）及びタブレットのうちの１つである、
請求項６に記載の方法。
【請求項９】
前記受信デバイスと前記モバイルデバイスとの間の通信は、ＷｉＦｉ通信チャネル上で確立される、
請求項６に記載の方法。
【請求項１０】
受信デバイスであって、
チャネル選択を受け入れるユーザインターフェイスと、
少なくとも１つのモバイルデバイスから、当該受信デバイスで、前記選択されたチャネルで受信されるコンテンツに関するデータを含むプログラムデータを受信する通信インターフェイスと、
前記少なくとも１つのモバイルデバイスから受信された前記プログラムデータを前記選択されたチャネルで当該受信デバイスによって受信された前記コンテンツと結合する結合モジュールと
を有する受信デバイス。
【請求項１１】
前記ユーザインターフェイスと双方向に通信し、構内における全ての受信デバイスとの通信を確立する前記通信インターフェイスと、
前記選択されたチャネルについての信号品質情報を得るよう前記構内における夫々のモバイルデバイスにポーリングする前記通信インターフェイスと、
前記プログラムデータを受信するよう前記モバイルデバイスから少なくとも１つを選択するモバイルデバイス選択モジュールと
を有する、請求項１０に記載の受信デバイス。
【請求項１２】
当該受信デバイスは、テレビ受信機である、
請求項１１に記載の受信デバイス。
【請求項１３】
前記モバイルデバイスは、携帯電話機、ｉＰｈｏｎｅ（登録商標）、ｉＰａｄ（登録商標）、ｉＰｏｄ（登録商標）及びタブレットのうちの１つである、
請求項１１に記載の受信デバイス。
【請求項１４】
前記通信は、ＷｉＦｉ通信チャネル上で確立される、
請求項１１に記載の受信デバイス。
【請求項１５】
モバイルデバイスであって、
チャネルの信号品質を測定するための要求を受信デバイスから受け取る通信インターフェイスと、
前記チャネルの信号品質を測定するモバイルデバイス選択モジュールと、
前記測定された信号品質を前記受信デバイスへ送る前記通信インターフェイスと、
前記チャネルで受信されるコンテンツに関するプログラムデータを送るための要求を前記受信デバイスから受け取る前記通信インターフェイスと、
前記チャネルで受信される前記コンテンツに関する前記要求されたプログラムデータを前記受信デバイスへ送る前記通信インターフェイスと
を有するモバイルデバイス。
【請求項１６】
前記受信デバイスは、テレビ受信機である、
請求項１５に記載のモバイルデバイス。
【請求項１７】
当該モバイルデバイスは、携帯電話機、ｉＰｈｏｎｅ（登録商標）、ｉＰａｄ（登録商標）、ｉＰｏｄ（登録商標）及びタブレットのうちの１つである、
請求項１５に記載のモバイルデバイス。
【請求項１８】
前記受信デバイスと前記モバイルデバイスとの間の通信は、ＷｉＦｉ通信チャネル上で確立される、
請求項１５に記載のモバイルデバイス。
【請求項１９】
前記信号品質情報に基づき、前記受信デバイスが前記モバイルデバイスよりも良い信号品質を有しているかどうかを最初に判定することと、
前記最初の判定に応答して、前記受信デバイスから前記コンテンツを受信することと、
前記最初の判定に応答して、前記受信デバイスがマスターデバイスであるかどうかを第２に判定することと、
前記第２の判定に応答して、前記コンテンツに関するプログラムデータを受信するよう少なくとも１つのモバイルデバイスを選択することと、
前記受信デバイスの前記選択されたチャネルで受信される前記コンテンツに関する前記プログラムデータを要求することと、
前記受信デバイスで前記信号品質を改善するよう前記少なくとも１つの選択されたモバイルデバイスから前記プログラムデータを受信することと、
前記受信デバイスでのレンダリングのための結合信号を形成するよう、前記受信デバイスからの前記コンテンツを前記少なくとも１つの選択されたモバイルデバイスから受信された前記プログラムデータと結合することと、
前記第２の判定に応答して、前記プログラムデータを受信するよう不使用のモバイルデバイスを選択することと、
前記選択された不使用のモバイルデバイスが前記受信デバイスよりも良い信号品質を有しているかどうかを第３に判定することと、
前記第３の判定に応答して、前記受信デバイスで前記信号品質を改善するよう前記プログラムデータを前記選択された不使用のモバイルデバイスに要求することと、
前記選択されたチャネルで受信される前記コンテンツに関する前記プログラムデータを受信することと、
前記受信デバイスでのレンダリングのための結合信号を形成するよう、前記選択された不使用のモバイルデバイスから受信された前記プログラムデータを前記受信デバイスから受信された前記コンテンツと結合することと
を更に有する、請求項２に記載の方法。
【請求項２０】
前記信号品質情報に基づき、前記受信デバイスが前記モバイルデバイスよりも良い信号品質を有しているかどうかを最初に判定する前記通信インターフェイスと、
前記最初の判定に応答して、前記受信デバイスから前記コンテンツを受信する前記通信インターフェイスと、
前記最初の判定に応答して、前記受信デバイスがマスターデバイスであるかどうかを第２に判定する前記モバイルデバイス選択モジュールと、
前記第２の判定に応答して、前記コンテンツに関するプログラムデータを受信するよう少なくとも１つのモバイルデバイスを選択する前記モバイルデバイス選択モジュールと、
前記受信デバイスの前記選択されたチャネルで受信される前記コンテンツに関する前記プログラムデータを要求する前記モバイルデバイス選択モジュールと、
前記受信デバイスで前記信号品質を改善するよう前記少なくとも１つの選択されたモバイルデバイスから前記プログラムデータを受信する前記通信インターフェイスと、
前記受信デバイスでのレンダリングのための結合信号を形成するよう、前記受信デバイスからの前記コンテンツを前記少なくとも１つの選択されたモバイルデバイスから受信された前記プログラムデータと結合する結合モジュールと、
前記第２の判定に応答して、前記プログラムデータを受信するよう不使用のモバイルデバイスを選択する前記モバイルデバイス選択モジュールと、
前記選択された不使用のモバイルデバイスが前記受信デバイスよりも良い信号品質を有しているかどうかを第３に判定する前記モバイルデバイス選択モジュールと、
前記第３の判定に応答して、前記受信デバイスで前記信号品質を改善するよう前記プログラムデータを前記選択された不使用のモバイルデバイスに要求する前記通信インターフェイスと、
前記選択されたチャネルで受信される前記コンテンツに関する前記プログラムデータを受信する前記通信インターフェイスと、
前記受信デバイスでのレンダリングのための結合信号を形成するよう、前記選択された不使用のモバイルデバイスから受信された前記プログラムデータを前記受信デバイスから受信された前記コンテンツと結合する前記結合モジュールと
を更に有する、請求項１１に記載の受信デバイス。
【請求項２１】
前記受信デバイスとの通信を確立するための要求を受け取ることと、
前記受信デバイスとの通信を確立することと
を更に有する、請求項６に記載の方法。
【請求項２２】
前記受信デバイスとの通信を確立するための要求を受け取る前記通信インターフェイスと、
前記受信デバイスとの通信を確立する前記通信インターフェイスと
を更に有する、請求項１５に記載のモバイルデバイス。